(57)【要約】【課題】水圧を利用して小便器カバーを駆動させ、男性用小便器を露出させることができ、しかも、男性用小便器を良好に洗浄できる、洋式便器上部に男性用小便器を一体で形成した便器を提供する。【解決手段】洋式便器２上部に男性用小便器３を一体で形成した便器本体１と、男性用小便器３を覆うための小便器カバー４と、小便器カバー４を水圧を利用して駆動させることのできる水圧駆動部８を備え、水圧駆動部８は、ピストンを有するシリンダー、或いは、内部に水を貯留可能な弾性体で構成する。【選択図】図３
2013209866.tif 000002
【特許請求の範囲】
【請求項１】
洋式便器上部に男性用小便器を一体で形成した便器本体と、前記男性用小便器を覆うための小便器カバーと、該小便器カバーを水圧を利用して駆動させることのできる水圧駆動部を備えたことを特徴とする便器。
【請求項２】
前記水圧駆動部に水圧を加えることにより前記小便器カバーを上昇させて前記男性用小便器を露出させることができるとともに、
前記水圧駆動部に水圧を加えることにより前記小便器カバーを下降させて前記男性用小便器を覆うことができるように構成した請求項１に記載の便器。
【請求項３】
前記水圧駆動部に水圧を加えることにより前記小便器カバーを上昇させて前記男性用小便器を露出させることができるとともに、
前記小便器カバーの自重により該小便器カバーを下降させて前記男性用小便器を覆うことができるように構成した請求項１に記載の便器。
【請求項４】
前記水圧駆動部を、ピストンを有するシリンダーで構成した請求項１乃至請求項３何れかに記載の便器。
【請求項５】
前記水圧駆動部を、内部に水を貯留可能な弾性体で構成した請求項１乃至請求項３何れかに記載の便器。
【請求項６】
前記水圧駆動部に、前記小便器カバーを下降方向に付勢し得る付勢手段を設けた請求項４または請求項５に記載の便器。
【請求項７】
前記水圧駆動部の一次側に減圧弁を設けた請求項１乃至請求項６何れかに記載の便器。
【発明の詳細な説明】
【技術分野】
【０００１】
本発明は、洋式便器に男性用小便器を一体化させた便器に関するものである。
【背景技術】
【０００２】
従来、特許文献１に開示されているような便器が存在し、この便器では、洋式便器に男性用小便器を一体形成し、自在に移動できる小便器カバーを設置した構成となっている。
【先行技術文献】
【特許文献】
【０００３】
【特許文献１】特開２００２−１２９６３８号公報
【発明の概要】
【発明が解決しようとする課題】
【０００４】
上記特許文献１に開示されている便器では、小便器カバーを昇降動させるための駆動機構が開示されておらず、手動で小便器カバーを昇降動させるような構造であれば、男性用小便器使用時の操作が面倒であるという問題点があった。また、使用後等に男性用小便器を洗浄するための洗浄装置を別途設ける必要があった。
【課題を解決するための手段】
【０００５】
本発明は、水圧を利用して小便器カバーを上昇させて男性用小便器を良好に露出させることができ、また、男性用小便器を良好に洗浄することのできる便器の提供を目的とし、この目的の少なくとも一部を達成するために以下の手段を採った。
本発明の便器は、洋式便器上部に男性用小便器を一体で形成した便器本体と、前記男性用小便器を覆うための小便器カバーと、該小便器カバーを水圧を利用して駆動させることのできる水圧駆動部を備えたことを要旨とする。
【発明の効果】
【０００６】
本発明の便器では、水圧を利用した水圧駆動部で小便器カバーを駆動させて男性用小便器を良好に露出させることができ、便器の前に男性が立って小便を行なう際に良好に男性用小便器で小便を受け止めることができ、小便飛沫による汚れが軽減するものとなる。
即ち、男性用小便器の存在しない洋式便器の前に男性が立って小便する際には、洋式便器の便座や便器の外側，床などを小便飛沫により汚してしまうことがあったが、男性用小便器が一体で形成されていることにより、男性が立った状態で良好に小便を行なうことができるものとなる。
【０００７】
また、本発明の便器において、前記水圧駆動部に水圧を加えることにより前記小便器カバーを上昇させて前記男性用小便器を露出させることができるとともに、前記水圧駆動部に水圧を加えることにより前記小便器カバーを下降させて前記男性用小便器を覆うことができるように構成することもできる。
こうすれば、水圧を利用して水圧駆動部を介して小便器カバーを良好に上昇させ、男性用小便器を露出させて、その状態で便器の前に男性が立って小便を行なうことができ、また、使用後は、水圧駆動部を介して小便器カバーを下降させて男性用小便器を覆うことにより、便器全体の美感を向上させることができるものとなる。
また、水圧駆動部の昇降時に水圧駆動部内の水を男性用小便器側へ押し出して、良好に男性用小便器を洗浄することができるものとなり、水圧駆動部内の水を使用するため、洗浄水量が安定し、水を再利用するため節水効果が得られるものとなる。
【０００８】
また、本発明の便器において、前記水圧駆動部に水圧を加えることにより前記小便器カバーを上昇させて前記男性用小便器を露出させることができるとともに、前記小便器カバーの自重により該小便器カバーを下降させて前記男性用小便器を覆うことができるように構成することもできる。
こうすれば、水圧駆動部に水圧を加えて小便器カバーを良好に上昇させ、男性用小便器を露出させて使用することができ、使用後には、小便器カバーの自重により小便器カバーを下降させて男性用小便器を良好に覆うことができる。
このように、水圧を利用して小便器カバーを上昇させ、小便器カバーの自重を利用して小便器カバーを下降させることができるとともに、水圧駆動部内の水を利用して男性用小便器を良好に洗浄することができ、節水効果が得られるものとなる。
【０００９】
また、本発明の便器において、前記水圧駆動部を、ピストンを有するシリンダーで構成することもできる。
こうすれば、水圧によりシリンダー内のピストンが作動して小便器カバーを良好に上昇させることができ、ピストンを有するシリンダーで構成されているため設置スペースが狭くても良く、便器内にコンパクトに内蔵することができるものとなる。
【００１０】
また、本発明の便器において、前記水圧駆動部を、内部に水を貯留可能な弾性体で構成することもできる。
こうすれば、水圧により弾性体が変形し、これにより小便器カバーを上昇させることができ、また、弾性体内の水を抜くことで良好に小便器カバーを下降させることができるものとなり、摺動部がないため引っ掛かりなどが起きにくく、確実に小便器カバーを昇降させることができる。
【００１１】
また、本発明の便器において、前記水圧駆動部に、前記小便器カバーを下降方向に付勢し得る付勢手段を設けたものとすることもできる。
こうすれば、小便器カバーの自重と付勢手段の付勢力により、水圧駆動部内の水を確実に押し出して、安定した流量の洗浄水を男性用小便器に供給することができ、男性用小便器を良好に洗浄することができるものとなる。
【００１２】
また、本発明の便器において、前記水圧駆動部の一次側に減圧弁を設けた構成とすることもできる。
こうすれば、減圧弁を設けることで水圧駆動部に掛かる水圧を一定に保つことができ、水圧駆動部の破損を防ぎ、水圧駆動部の急上昇を防ぐことができるものとなり、また、水圧駆動部に掛かる水圧を小便器カバーを押し上げ可能な程度の水圧に設定することで、シリンダーや弾性体を頑丈なものとする必要がなくなり、シリンダーや弾性体は安価なもので構成することができる。
【図面の簡単な説明】
【００１３】
【図１】男性用小便器の小便器カバーと、この小便器カバーを駆動する水圧駆動部を備えた便器の概略構成図である。
【図２】便器の前に男性が立って男性用小便器内に小便を行なう際の概略使用状態図である。
【図３】第１実施例の概略図であり、４つのバルブを備えて水圧で水圧駆動部を昇降させるタイプの便器の構成図である。
【図４】図３の水圧駆動部としてピストンを有するシリンダーを用いた場合の水路構成図である。
【図５】図４の状態からピストンを上昇させて小便器カバーを上昇させた状態の、男性用小便器使用時の水路構成図である。
【図６】使用後にピストンを下降させて小便器カバーを下降させた状態の水路構成図である。
【図７】第２実施例を示し、２つのバルブを備えて水圧で水圧駆動部を上昇させ、小便器カバーの自重で下降させるタイプの便器の概略構成図である。
【図８】第２実施例において水圧駆動部としてピストンを有するシリンダーを用いた場合の水路構成図である。
【図９】図８の状態からピストンを上昇させて男性用小便器を露出させて使用する状態の水路構成図である。
【図１０】図９の状態から便器カバーの自重でピストンを下降させた状態の水路構成図である。
【図１１】図８のシリンダー内にピストンを下向きに付勢する付勢手段を設けた第２実施例の変形例の水路構成図である。
【図１２】第２実施例の変更例を示し、水圧駆動部として蛇腹を有する弾性体を用いた場合の水路構成図である。
【図１３】図１２の状態から弾性体を伸長させて男性用小便器を使用する状態の水路構成図である。
【図１４】図１３の状態から弾性体を収縮させて小便器カバーを下降させた状態の水路構成図である。
【発明を実施するための形態】
【００１４】
次に、本発明を実施するための形態を実施例を用いて説明する。
図１および図２は、男性用小便器３を一体化した便器の概略構成図であり、図１は、小便器カバー４の下降時を示し、図２は、小便器カバー４の上昇時を示す。
洋式便器２の上部に男性用小便器３が一体で形成されて便器本体１が構成されている。
洋式便器２は、鉢部２ａの後方に傾斜状のトラップ部２ｂが形成されており、トラップ部２ｂの下流端に排水管２ｃが連続して形成されている。
男性用小便器３は、下端がトラップ部２ｂの上面を形成する鉢部３ａとなっており、鉢部３ａから上方へ向かって立ち上がる立壁部３ｂを有し、立壁部３ｂの上端は前方側へ水平に延びる天壁部３ｃとなっている。
【００１５】
この便器本体１の男性用小便器３を覆うことのできる小便器カバー４が設けられており、小便器カバー４は、男性用小便器３の立壁部３ｂの前面を覆うように立設された前面壁４ａと、後方側に立設された後面壁４ｂが、略水平な上面壁４ｃで連結されて、小便器カバー４は下方側が開放された略コの字状の断面形状に形成されている。
この小便器カバー４の前面壁４ａの下端側には、回動軸５を介して上下方向に回動する便座６と便座カバー７が設けられている。
また、男性用小便器３の後面側の小便器カバー４の後面壁４ｂとの間の空間内には水圧駆動部８が設けられている。
この水圧駆動部８は、後述するピストンを有するシリンダー、或いは、水を貯留できる弾性体等で構成される。
なお、小便器カバー４内には図示しない洗浄水を溜めるタンク等が配置される。
【００１６】
図１の状態では、小便器カバー４は下降状態となっており、この状態では、男性用小便器３の立壁部３ｂの前面に平行状に小便器カバー４の前面壁４ａが配置されて、小便器カバー４により男性用小便器３は隠された状態となり、洋式便器２の鉢部２ａの上面に便座６と便座カバー７が略水平状に蓋されて、男性用小便器３および洋式便器２は露出せず、すっきりとした美感を呈した状態となっている。
【００１７】
この図１の状態から男性が便器本体１の前に立って小便を行う際には、図示しない電磁弁用のＯＮ・ＯＦＦスイッチを操作するか、或いは、手動で図示しない弁を操作して、水圧駆動部８に水道管からの水道水を入れ、水圧駆動部８に水圧を加える。
これにより水圧駆動部８が水圧により伸長して小便器カバー４の上面壁４ｃを上方へ持ち上げ、図２のように、男性用小便器３の鉢部３ａおよび立壁部３ｂが露出した状態となり、男性は便器本体１の前に立って男性用小便器３に向かって小便を行なうことができる。
なお、この際に、便座６および便座カバー７も回動軸５を介し手動或いは電動で上方へ開けておけば、より良好に男性用小便器３を使用することができるものとなり、小便は立壁部３ｂおよび鉢部３ａに受け止められて、小便飛沫が便器本体１の縁や外側へ飛び散ることがなく、トイレの床面等を汚すことはない。
【実施例１】
【００１８】
図３は、第１実施例の水圧駆動部８周辺の水路構成を示すものであり、この第１実施例は、４つのバルブ９，１０，１１，１２が配置されて、４つのバルブ９，１０，１１，１２の切り換えにより水圧駆動部８を昇降させるタイプである。
なお、図示しない水道管からの水道水の水圧を一定に保つために、減圧弁１３を水圧駆動部８周辺の水路の上流側に設けておくことができる。
即ち、この減圧弁１３により水圧を一定に保ち、水圧駆動部８の破損や急上昇を防ぐことができるものであり、また、減圧弁１３により、小便器カバー４を押し上げ可能な程度の水圧に設定することができるため、水圧駆動部８を構成するシリンダーや弾性体をそれほど頑丈なものとすることなく、安価なシリンダーや弾性体で水圧駆動部８を構成することができるものとなる。
【００１９】
水圧駆動部８をピストンを有するシリンダーで構成した場合の水路構成を図４に示す。
即ち、図４は、４つのバルブ９，１０，１１，１２を用いてピストンを昇降させて小便器カバー４を昇降させるタイプのものである。
図４に示すように、水圧駆動部８を構成するシリンダー８１内にはピストン８２が昇降動可能に設けられており、ピストン８２は、下端の弁部８２ａがシリンダー８１の内周に摺接するように配置され、弁部８２ａから軸部８２ｂが垂直に立ち上がり、軸部８２ｂの上端に略水平な上端板８２ｃが配置されている。
【００２０】
ピストン８２の弁部８２ａにより、シリンダー８１内は、弁部８２ａよりも上側の上空間８１ａと、弁部８２ａよりも下側の下空間８１ｂに区画されている。
このシリンダー８１の下空間８１ｂに連通する第１水路１４が一次側に設けられており、下空間８１ｂに連通する第２水路１５が二次側に設けられている。また、シリンダー８１の上空間８１ａに連通する第３水路１６が一次側に設けられており、上空間８１ａに連通する第４水路１７が二次側に設けられている。
第１水路１４と第３水路１６は入口１４ａに連通し、この入口１４ａ側には前述した減圧弁１３が設けられて、図示しない水道管に接続されている。また、第２水路１５は第４水路１７と連通して出口１５ａに繋がっており、この出口１５ａは男性用小便器３の立壁部３ｂの上部部位に開口されている。
第１水路１４には一次側バルブ９が設けられており、第２水路１５には二次側バルブ１０が設けられている。また、第３水路１６には一次側バルブ１１が設けられており、第４水路１７には二次側バルブ１２が設けられている。
【００２１】
このような構成において、図４の全てのバルブ９，１０，１１，１２の「閉」状態から、男性用小便器３を使用する際には、図５に示すように、一次側バルブ９と二次側バルブ１２が開かれる。
これにより、入口１４ａから水道水が第１水路１４を通りシリンダー８１の下空間８１ｂ内に充填されてゆき、ピストン８２は上昇し、ピストン８２の上端板８２ｃが小便器カバー４の上面壁４ｃに当接して小便器カバー４を上方へ押し上げてゆき、男性用小便器３を露出状態とさせる。この時に、ピストン８２の上昇に伴いシリンダー８１の上空間８１ａ内に溜まっていた水は第４水路１７に押し出され、出口１５ａから男性用小便器の立壁部３ｂに流れ落ち、流れ落ちる水により男性用小便器３を前洗浄することができる。
【００２２】
男性用小便器３の使用後には、図６に示すように、一次側バルブ９，二次側バルブ１２を閉じ、一次側バルブ１１と二次側バルブ１０を「開」にする。
これにより、入口１４ａから水道水が第３水路１６を通りシリンダー８１の上空間８１ａ内に充填され、ピストン８２は下方向へ引き下げられてゆき、小便器カバー４が下降して、男性用小便器３が徐々に覆われてゆくこととなる。この時に、ピストン８２の下降に伴いシリンダー８１の下空間８１ｂ内の水が第２水路１５へ押し出され、水は出口１５ａから男性用小便器３の立壁部３ｂに流れ落ち、男性用小便器３が流れ落ちる水により後洗浄されることとなる。
【００２３】
このようにバルブ９，１０，１１，１２を開閉制御して小便器カバー４を昇降させることができ、昇降時にシリンダー８１内の水を男性用小便器３に供給して、良好に男性用小便器３を洗浄することができるものとなり、シリンダー８１内の水を洗浄用に使用するため、洗浄水量が安定したものとなり、水が再利用されて節水効果が得られるものとなる。
【実施例２】
【００２４】
図７は、第２実施例の概略構成を示すものであり、第２実施例は、２つのバルブを用いて構成し、水圧で水圧駆動部８を上昇させて小便器カバー４を上昇させるとともに、小便器カバー４の自重を利用して小便器カバー４を下降させるタイプのものである。
なお、図７においても、上流側に減圧弁１３を設けておけば、水圧駆動部８に供給される水圧を一定に保つことができ、水圧駆動部８の破損や急上昇を防ぐことができるものとなる。
【００２５】
図８は、水圧駆動部８としてピストン８２を有するシリンダー８１を用いた場合の水路構成を示している。
図８に示すシリンダー８１とピストン８２は、図４，図５，図６のものと同様なものであり、シリンダー８１内は、ピストン８２の弁部８２ａにより上側の上空間８１ａと下側の下空間８１ｂに区画されている。
このシリンダー８１の下空間８１ｂに連通して一次側に第１水路１４が接続されており、下空間８１ｂに連通して二次側には第２水路１５が接続されている。
第１水路１４内には一次側バルブ９が設けられており、第２水路１５内には二次側バルブ１０が設けられている。
【００２６】
図８では、一次側バルブ９および二次側バルブ１０は「閉」状態となっており、小便器カバー４は下降した状態にある。
この状態から男性用小便器３を使用する際には、図９に示すように、一次側バルブ９を開いて、入口１４ａから第１水路１４を通して水道水をシリンダー８１の下空間８１ｂ内に充填させる。これにより、水圧でピストン８２は上昇してゆき、ピストン８２の上昇により小便器カバー４が上昇して男性用小便器３が露出された状態となる。ピストン８２が上昇端に達すると一次側バルブ９は閉じられる。
【００２７】
男性用小便器３の使用後には、図１０に示すように、二次側バルブ１０が開かれると、小便器カバー４の自重がピストン８２の上端板８２ｃに作用し、ピストン８２は下方向へ押されてゆき、ピストン８２の下降とともに小便器カバー４が下降して、男性用小便器３が覆われることとなる。この時に、ピストン８２の下降によりシリンダー８１の下空間８１ｂ内の水は押し出されて、第２水路１５を通り出口１５ａから男性用小便器３の立壁部３ｂに沿って流下し、良好に男性用小便器３が洗浄されることとなる。この場合、一次側バルブ９を開いて出口１５ａ側へ押し出す水の量を増やすことができ、洗浄水量を増大させることも可能である。
なお、水圧駆動部８をピストン８２を有するシリンダー８１で構成した場合は、シリンダー８１を狭い設置スペース内に良好に設けることができて、小便器カバー４内等にコンパクトに内蔵することができる。
【００２８】
次に、図１１に示すものは、第２実施例のシリンダータイプの変形例であり、図１１では、圧縮バネ１８を、ピストン８２の軸部８２ｂの外周に配置してシリンダー８１内の上空間８１ａ内に設けたものである。
この圧縮バネ１８は、シリンダー８１の下空間８１ｂ内に水道水が充填されてピストン８２が上昇する時に圧縮され、ピストン８２が下降する時には、この圧縮バネ１８が下向きの付勢力を発生させ、この圧縮バネ１８の下向きの付勢力と小便器カバー４の自重により、強力にシリンダー８１の下空間８１ｂ内の水を出口１５ａ側へ押し出すことができるものとなり、安定した流量の洗浄水を男性用小便器３の洗浄用に供給することができるものとなる。
また、圧縮バネ１８が設けられているため、小便器カバー４の自重が軽い場合でも、確実にピストン８２を下降させて小便器カバー４を下降させることができる。
【００２９】
なお、図１１では、シリンダー８１内に圧縮バネ１８を設けたものを例示しているが、シリンダー８１の上端とピストン８２の上端板８２ｃ間に引っ張りバネを配置して構成しても良く、この場合には、ピストン８２の上昇時に引っ張りバネが引っ張られ、ピストン８２が下降する時には下向きの付勢力が発生して、シリンダー８１の下空間８１ｂ内の水を出口１５ａ側へ強力に押し出すことができるものとなる。
【００３０】
次に、図１２〜図１４に示すものは、水圧駆動部８を、ゴム或いは樹脂製の弾性体で構成したものである。この弾性体の外周には上下方向に複数の蛇腹を形成させておき、スムーズに伸長できるように構成しておくことができる。
この弾性体の内部には水を貯留することのできる空間が形成されており、内部の空間に連通して第１水路１４が一次側に接続され、二次側には第２水路１５が接続されて構成され、第１水路１４内には一次側バルブ９が設けられ、第２水路１５内には二次側バルブ１０が設けられている。
【００３１】
図１２の状態は、一次側バルブ９および二次側バルブ１０が共に「閉」状態であり、弾性体内には水が無い状態で、弾性体は収縮して下降した状態となっている。
この状態から男性用小便器３を使用する時には、図１３に示すように、一次側バルブ９を開けて弾性体内に水道水を充填させる。これにより、水道水の水圧により弾性体は延びて上昇し、弾性体の上昇により小便器カバー４を上昇させて男性用小便器３を露出させることができる。
弾性体が延びて頂点に達すると一次側バルブ９は閉じられ、小便器カバー４が上昇した状態が維持されて男性用小便器３を使用することができる。
【００３２】
男性用小便器３の使用後には、図１４に示すように、二次側バルブ１０を開けると、弾性体内の水は、第２水路１５を通り出口１５ａから男性用小便器３の立壁部３ｂに洗浄水として流下される。
なお、弾性体が特にゴム製であれば、その復元力により下向きの付勢力が発生して、弾性体内の水を第２水路１５へ強く押し出すことができ、小便器カバー４の自重も加わり、水の押し出し力が強化される。
水の押し出しに伴い弾性体は徐々に収縮してゆき、やがては図１４のような下降状態となり、小便器カバー４はこの状態では男性用小便器３を覆い、すっきりとした外観形状が得られるものとなる。
なお、図１４のように、二次側バルブ１０を開けている時に、一次側バルブ９も開けると、第２水路１５側へ押し出す水を増水させることが可能となり、より安定した流量の洗浄水を男性用小便器３に供給することができるものとなる。
【００３３】
なお、内部に水を貯留可能な弾性体で水圧駆動部８を構成する場合に、弾性体の上部に連通する水路を更に設け、この上部の水路の一次側および二次側に、それぞれ図３のように一次側バルブ１１，二次側バルブ１２を設けて、４つのバルブ９，１０，１１，１２の開閉により弾性体の上昇下降を制御できるように構成しても良く、このように構成した場合は、小便器カバー４の自重が軽い場合でも確実に弾性体を昇降動させて小便器カバー４を昇降させることができるものとなる。
【符号の説明】
【００３４】
１  便器本体
２  洋式便器
２ａ  鉢部
２ｂ  トラップ部
３  男性用小便器
３ａ  鉢部
３ｂ  立壁部
３ｃ  天壁部
４  小便器カバー
４ａ  前面壁
４ｂ  後面壁
４ｃ  上面壁
６  便座
７  便座カバー
８  水圧駆動部
９，１１  一次側バルブ
１０，１２  二次側バルブ
１３  減圧弁
１４  第１水路
１４ａ  入口
１５  第２水路
１５ａ  出口
１６  第３水路
１７  第４水路
１８  圧縮バネ
８１  シリンダー
８１ａ  上空間
８１ｂ  下空間
８２  ピストン
８２ａ  弁部
８２ｂ  軸部
８２ｃ  上端板
【図１】
2013209866.tif 000003
【図２】
2013209866.tif 000004
【図３】
2013209866.tif 000005
【図４】
2013209866.tif 000006
【図５】
2013209866.tif 000007
【図６】
2013209866.tif 000008
【図７】
2013209866.tif 000009
【図８】
2013209866.tif 000010
【図９】
2013209866.tif 000011
【図１０】
2013209866.tif 000012
【図１１】
2013209866.tif 000013
【図１２】
2013209866.tif 000014
【図１３】
2013209866.tif 000015
【図１４】
2013209866.tif 000016